(57)【要約】【課題】情報の再生を行う光ディスクにおいて、面ぶれの大きいスリムディスクに対して安定して再生動作を行うことが出来る光ディスク装置および光ディスクの再生処理方法を提供する。【解決手段】光ディスクが所定の回転数になるまでの経過時間によるディスクサイズの判別結果と、光ディスクから読み取った信号によるディスクサイズの判別結果が異なる場合、装着された光ディスクがスリムディスクであると判定し、面ぶれの影響を抑えるために、ステップ207で光ディスクの回転数を所定の回転数以上に制限する。【選択図】図２
2011192330.tif 000002
【特許請求の範囲】
【請求項１】
ドライブに装着されたディスクに対して、回転数と時間との関係を示す特性に基づいて、８ｃｍディスクか１２ｃｍディスクかを判別する第１のディスク判別ステップと、
ディスクからの読み取った信号に基づいて、８ｃｍディスクか１２ｃｍディスクかを判別する第２のディスク判別ステップとを備え、
前記第１のディスク判別ステップで８ｃｍディスクと判定され、前記第２のディスク判別ステップで１２ｃｍディスクと判定された場合に、１２ｃｍのスリムディスクであると判定するステップとを備えた、光ディスクの再生方法。
【請求項２】
ドライブに装着されたディスクに対して、回転数と時間との関係を示す特性に基づいて、８ｃｍディスクか１２ｃｍディスクかを判別する第１のディスク判別ステップと、
ディスクからの読み取った信号に基づいて、８ｃｍディスクか１２ｃｍディスクかを判別する第２のディスク判別ステップとを備え、
前記第１のディスク判別ステップで８ｃｍディスクと判別され、前記第２のディスク判別ステップで１２ｃｍディスクと判別された場合に、ディスク滑りが発生したと判定するステップとを備えた、光ディスクの再生方法。
【請求項３】
前記第２のディスク判別ステップは、１２ｃｍディスクの外周領域の半径位置に光ピックアップを移動するステップと、フォーカスエラー信号によって、ディスクの表面または情報面を検出できた場合は１２ｃｍディスクと判定するステップとを有する請求項１または請求項２記載の光ディスクの再生方法。
【請求項４】
前記第２のディスク判別ステップは、ディスクの識別情報を取得し、前記識別情報に含まれるディスクサイズ情報に基づいて１２ｃｍディスクかどうかを判別するステップを有する請求項１または請求項２記載の光ディスクの再生方法。
【請求項５】
ディスクから読み取った信号に基づいて、面ぶれが大きいディスクであることを判定する第３のディスク判別ステップを備え、面ぶれが大きいディスクと判定された場合は、１２ｃｍのスリムディスクであると判定し、面ぶれが大きいディスクではないと判定された場合は、ディスク滑りが発生したと判定するステップを有する、請求項１および請求項２記載の光ディスクの再生方法。
【請求項６】
前記第３のディスク判別ステップは、１２ｃｍディスクの外周領域の半径位置に光ピックアップを移動するステップと、フォーカスＯＮ状態で少なくとも１周分のフォーカス駆動電流を測定し、変動が大きいならば面ぶれ大であると判定するステップとを有する請求項５記載の光ディスクの再生方法。
【請求項７】
前記フォーカス駆動電流の測定を低回転と高回転のそれぞれで実施し、低回転の測定結果と高回転の測定結果の差が大きい場合に面ぶれが大きいディスクであると判定するステップを有する請求項６記載の光ディスクの再生方法。
【請求項８】
前記第３のディスク判別ステップで１２ｃｍのスリムディスクと判定された場合に、面ぶれの影響を抑えるために一定以上の回転数に制限するステップを有する、請求項５記載の光ディスクの再生方法。
【請求項９】
前記第３のディスク判別ステップで１２ｃｍのスリムディスクと判定された場合に、面ぶれの影響を抑えるためにエラー発生時のリカバリ処理を内周領域で実施するステップを有する、請求項５記載の光ディスクの再生方法。
【請求項１０】
前記第３のディスク判別ステップでディスク滑りが発生したと判定された場合に、ディスクターンテーブルのクリーニングを促すメッセージを出力するステップを有する、請求項５記載の光ディスクの再生方法。
【請求項１１】
前記第１のディスク判別ステップと前記第２のディスク判別ステップによって１２ｃｍのスリムディスクと判定された場合に、面ぶれの影響を抑えるために一定以上の回転数に制限するステップを有する、請求項１記載の光ディスクの再生方法。
【請求項１２】
前記第１のディスク判別ステップと前記第２のディスク判別ステップによって１２ｃｍのスリムディスクと判定された場合に、面ぶれの影響を抑えるためにエラー発生時のリカバリ処理を内周領域で実施するステップを有する、請求項１記載の光ディスクの再生方法。
【請求項１３】
前記第１のディスク判別ステップと前記第２のディスク判別ステップによってディスク滑りが発生したと判定された場合に、ディスクターンテーブルのクリーニングを促すメッセージを出力するステップを有する、請求項２記載の光ディスクの再生方法。
【請求項１４】
前記第１のディスク判別ステップと前記第２のディスク判別ステップによってディスク滑りが発生したと判定された場合に、次回以降のディスク停止からのディスク回転の加速度を小さくするステップを有する、請求項２記載の光ディスクの再生方法。
【請求項１５】
前記第１のディスク判別ステップと前記第２のディスク判別ステップによってディスク滑りが発生したと判定された場合に、次回以降のディスク停止からのディスク回転時にクランプ力を強くするステップを有する、請求項２記載の光ディスクの再生方法。
【発明の詳細な説明】
【技術分野】
【０００１】
本発明は、光ディスクに再生を行う光ディスク再生装置および光ディスクの判別方法に関する。
【背景技術】
【０００２】
近年、普及しているＢｌｕ−ｒａｙ  Ｄｉｓｃ（ＢＤ）、ＤＶＤ、ＣＤなどの光ディスクには直径が１２ｃｍのディスク（以下では１２ｃｍディスクと称す）と直径が８ｃｍのディスク（以下では８ｃｍディスクと称す）が存在している。光ディスク装置では、処理の切り換えを行うために、挿入された光ディスクが１２ｃｍディスクか８ｃｍディスクかを判別する処理を行っている。以下では、この判別処理を１２ｃｍ／８ｃｍディスク判別と呼ぶ。
光ディスク装置の１２ｃｍ／８ｃｍディスク判別方法として、従来は、１２ｃｍディスクと８ｃｍディスクの慣性モーメントの違いを利用して、光ディスクを回転するディスクモータに同一電圧を印加して、ディスクモータが一定回転数になるまでの経過時間を測定し、その時間の大小によって判定を行う方法（例えば、特許文献１参照）が知られている。
【先行技術文献】
【特許文献】
【０００３】
【特許文献１】特開２００３−２４９００４号公報
【発明の概要】
【発明が解決しようとする課題】
【０００４】
ところが、特許文献１の方法では、近年普及が進んでいるスリムディスクまたはエコディスク（以降ではこれらをスリムディスクと総称する）に対して正しく判別を行うことが出来ないという課題がある。図８の例に示すように、スリムディスク（図８(ｂ)）とは、ディスクのデータ領域の基材の厚みが１．２ｍｍのＤＶＤディスク（図８(ａ)）に対して、データ領域の基材の厚みが０．６ｍｍしかないディスクのことである。スリムディスクは、基材が薄いことによって重量が軽いため、同一の電圧を印加したディスクモータが一定回転数になるまでの時間が短く、１２ｃｍのディスクであるにも関わらず、８ｃｍディスクと誤って判別するという課題がある。
【０００５】
また、スリムディスクは、基材が薄いことにより、ディスクの周方向の高さばらつきである面ぶれが発生しやすいディスクであるため、再生時に安定してサーボをかけることが難しく、挿入されたディスクがスリムディスクかどうかを判別する必要がある。しかし、スリムディスクは、従来のＤＶＤディスクと異なり、ディスク上にスリムディスクであることを示す情報が存在せず、ディスク識別情報にはＤＶＤ−ＲＯＭと記載されているため、スリムディスクであることを特定するための判別方法が求められている。
本発明は、前記課題を解決するもので、スリムディスクが挿入された場合にも、安定して再生動作を行うことが出来る光ディスク装置および光ディスクの再生方法を提供することを目的とする。
【課題を解決するための手段】
【０００６】
本発明の光ディスク再生方法は、ドライブに装着されたディスクに対して、回転数と時間との関係を示す特性に基づいて、８ｃｍディスクか１２ｃｍディスクかを判別する第１のディスク判別ステップと、ディスクからの読み取った信号に基づいて、８ｃｍディスクか１２ｃｍディスクかを判別する第２のディスク判別ステップとを備え、前記第１のディスク判別ステップで８ｃｍディスクと判定され、前記第２のディスク判別ステップで１２ｃｍディスクと判定された場合に、１２ｃｍのスリムディスクであると判定するステップとを備える。
【０００７】
本発明の光ディスク再生方法は、ドライブに装着されたディスクに対して、回転数と時間との関係を示す特性に基づいて、８ｃｍディスクか１２ｃｍディスクかを判別する第１のディスク判別ステップと、ディスクからの読み取った信号に基づいて、８ｃｍディスクか１２ｃｍディスクかを判別する第２のディスク判別ステップとを備え、前記第１のディスク判別ステップで８ｃｍディスクと判別され、前記第２のディスク判別ステップで１２ｃｍディスクと判別された場合に、ディスク滑りが発生したと判定するステップとを備える。
【０００８】
本発明の光ディスク再生方法は、前記第２のディスク判別ステップとして、１２ｃｍディスクの外周領域の半径位置に光ピックアップを移動するステップと、フォーカスエラー信号によって、ディスクの表面または情報面を検出できた場合は１２ｃｍディスクと判定するステップとを備える。
【０００９】
本発明の光ディスク再生方法は、前記第２のディスク判別ステップとして、ディスクの識別情報を取得し、前記識別情報に含まれるディスクサイズ情報に基づいて１２ｃｍディスクかどうかを判別するステップを備える。
【００１０】
本発明の光ディスク再生方法は、ディスクから読み取った信号に基づいて、面ぶれが大きいディスクであることを判定する第３のディスク判別ステップを備え、面ぶれが大きいディスクと判定された場合は、１２ｃｍのスリムディスクであると判定し、面ぶれが大きいディスクではないと判定された場合は、ディスク滑りが発生したと判定するステップを備える。
【００１１】
本発明の光ディスク再生方法は、前記第３のディスク判別ステップとして、１２ｃｍディスクの外周領域の半径位置に光ピックアップを移動するステップと、フォーカスＯＮ状態で少なくとも１周分のフォーカス駆動電流を測定し、変動が大きいならば面ぶれ大であると判定するステップとを備える。
【００１２】
本発明の光ディスク再生方法は、前記フォーカス駆動電流の測定を低回転と高回転のそれぞれで実施し、低回転の測定結果と高回転の測定結果の差が大きい場合に面ぶれが大きいディスクであると判定するステップを備える。
【００１３】
本発明の光ディスク再生方法は、前記第３のディスク判別ステップで１２ｃｍのスリムディスクと判定された場合に、面ぶれの影響を抑えるために一定以上の回転数に制限するステップを備える。
【００１４】
本発明の光ディスク再生方法は、前記第３のディスク判別ステップで１２ｃｍのスリムディスクと判定された場合に、面ぶれの影響を抑えるためにエラー発生時のリカバリ処理を内周領域で実施するステップを備える。
本発明の光ディスク再生方法は、前記第３のディスク判別ステップでディスク滑りが発生したと判定された場合に、ディスクターンテーブルのクリーニングを促すメッセージを出力するステップを備える。
【００１５】
本発明の光ディスク再生方法は、前記第１のディスク判別ステップと前記第２のディスク判別ステップによって１２ｃｍのスリムディスクと判定された場合に、面ぶれの影響を抑えるために一定以上の回転数に制限するステップを備える。
【００１６】
本発明の光ディスク再生方法は、前記第１のディスク判別ステップと前記第２のディスク判別ステップによって１２ｃｍのスリムディスクと判定された場合に、面ぶれの影響を抑えるためにエラー発生時のリカバリ処理を内周領域で実施するステップを備える。
【００１７】
本発明の光ディスク再生方法は、前記第１のディスク判別ステップと前記第２のディスク判別ステップによってディスク滑りが発生したと判定された場合に、ディスクターンテーブルのクリーニングを促すメッセージを出力するステップを備える。
【００１８】
本発明の光ディスク再生方法は、前記第１のディスク判別ステップと前記第２のディスク判別ステップによってディスク滑りが発生したと判定された場合に、次回以降のディスク停止からのディスク回転の加速度を小さくするステップを備える。
【００１９】
本発明の光ディスク再生方法は、前記第１のディスク判別ステップと前記第２のディスク判別ステップによってディスク滑りが発生したと判定された場合に、次回以降のディスク停止からのディスク回転時にクランプ力を強くするステップを備える。
【発明の効果】
【００２０】
本発明によれば、光ディスクが所定の回転数になるまでの時間によるディスクサイズの判別と、光ディスクから読み取った信号によるディスクサイズの判別が異なることを利用して、装着されている光ディスクがスリムディスクかどうかを判定することが可能となるため、面ぶれの大きいスリムディスクに対して安定した再生動作を行うことが出来る。
【図面の簡単な説明】
【００２１】
【図１】本発明の実施例１における、光ディスク装置の構成を示すブロック図
【図２】本発明の実施例１における、スリムディスクの判別処理を示すフローチャート
【図３】本発明の実施例１における、回転数と経過時間によるディスクサイズの判別処理を示すフローチャート
【図４】本発明の実施例１における、ディスクからの信号によるディスクサイズの判別処理を示すフローチャート
【図５】本発明の実施例１における、回転数と経過時間によるディスクサイズの判別結果とディスクからの信号によるディスクサイズの判別結果の比較によるスリムディスク判別処理を示すフローチャート
【図６】本発明の実施例１における、面ぶれディスクを示す概念図
【図７】本発明の実施例１における、図６で示した面ぶれディスクに対するスリムディスク判別処理を示すフローチャート
【図８】ＤＶＤディスクとスリムディスクの違いを示す概念図
【発明を実施するための形態】
【００２２】
以下では、図面を参照しながら本発明の実施例を説明する。
（実施例1）
図１は、本発明の実施例1による光ディスク装置１００の構成を示すブロック図である。
【００２３】
光ディスク装置１００は、Ｂｌｕ−ｒａｙ  Ｄｉｓｃなどの任意の光ディスク１０１を載せるターンテーブル１１１と、スピンドルモータの回転軸に固定されたターンテーブル１１１を回転させるディスクモータ１０２と、装着された光ディスク１０１をターンテーブル１１１に固定するディスク固定装置（クランパ）１１０と、光ディスク１０１にレーザを照射するヘッド１０３と、ヘッド１０３を光ディスク１０１の半径方向に移送するトラバースモータなどの移送手段１０９と、ヘッド１０３から読み取られた信号の２値化やクロックの生成を行う信号処理手段１０４と、ヘッド１０３から出力されるレーザのパワーやパルス幅の設定を行うレーザ制御手段１０５と、ディスクモータ１０２の回転数やヘッド１０３の動作の制御を行うサーボ手段１０６と、レーザ制御手段１０５へのレーザパワーの設定やサーボ手段１０６への制御コマンドの発行を行い、光ディスク装置１００全体の動作の制御や、信号処理手段１０４から読み取った信号を解釈し光ディスク１０１上のデータの取得を行うシステム制御手段１０７とを備えている。
システム制御手段１０７は、光ディスク１０１の回転数や光ディスク１０１から読み取った信号によって、光ディスク１０１がスリムディスクかどうかを判別するスリムディスク判別手段１０８を内部に含む。なお、本実施例では、スリムディスク判別手段１０８はシステム制御手段１０７に内蔵されて光ディスク装置１００内に存在しているが、独立した手段として光ディスク装置１００内に存在しても良いし、他の手段の中に内蔵されていても良い。
【００２４】
さらに、それぞれの手段は、回路構成でも良いし、機能ブロックを構成しているプログラムのステップとして存在していても良い。システム制御手段１０７およびスリムディスク判別手段１０８からレーザ制御手段１０５やサーボ手段１０６への処理実行の指示は、本実施例ではコマンド発行によって行うものとする。
【００２５】
以下では、スリムディスク判別手段１０８でスリムディスクの判別を行う手順について、フローチャートを用いて詳細に説明する。図２は、光ディスク装置１００に挿入された光ディスクの判別処理を行う手順を示すフローチャートである。
（ステップ２０１での判別処理）
ステップ２０１では、光ディスク１０１が装着されたことを検知すると、スリムディスク判別手段１０８からサーボ手段１０６に制御コマンドを発行して、ディスクモータ１０２によって光ディスク１０１を回転させ、スリムディスク判別手段１０８によって、図示されていないタイマーから経過時間を測定することで、装着されているディスクが１２ｃｍディスクか８ｃｍディスクかを判別する。
本ステップの具体的な内容は、図３を用いて詳細に説明する。図３は、光ディスク装置１００で回転数と経過時間による判別処理を行う手順を示すフローチャートである。
ステップ３０１では、スリムディスク判別手段１０８からサーボ手段１０６にコマンドを発行し、ディスクモータ１０２の回転数を１０００ｒｐｍに設定する。
ステップ３０２では、スリムディスク判別手段１０８でサーボ手段１０６によってディスクモータ１０２から得られる回転数が１０００ｒｐｍになるまでの時間を、図示していないタイマーで測定する。
【００２６】
ステップ３０３では、ステップ３０２で測定した時間が１００ｍｓｅｃ未満かどうかをスリムディスク判別手段１０８で判定し、１００ｍｓｅｃ未満ならばステップ３０４に進んで８ｃｍディスクと判定し、１００ｍｓｅｃ以上ならばステップ３０５に進んで１２ｃｍディスクと判定する。なお、ステップ３０１で設定するディスクモータ１０２の回転数、ステップ３０３で判定に用いる時間は、８ｃｍディスクと１２ｃｍディスクを判別可能な任意の値でよい。
【００２７】
次に図１のステップ２０２に戻ると、ステップ２０２で、装着されている光ディスク１０１が１２ｃｍディスクと判定された場合は、判別処理を終了する。８ｃｍディスクと判定された場合は、ステップ２０３に進む。
（ステップ２０３での判別処理）
ステップ２０３では、ヘッド１０３で光ディスク１０１から読み取った信号に基づいて、スリムディスク判別手段１０８によって、装着されているディスクが１２ｃｍディスクか８ｃｍディスクかを判別する。
【００２８】
本ステップの具体的な内容は、図４を用いて詳細に説明する。図４は、光ディスク装置１００でディスクからの信号による判別処理を行う手順を示すフローチャートである。
ステップ４０１では、スリムディスク判別手段１０８からサーボ手段１０６にコマンドを発行し、移送手段１０９によってヘッド１０３を光ディスク１０１の半径５０ｍｍの位置に移動する。なお、本ステップでヘッド１０３を移動する位置は、半径５０ｍｍの位置に限らず、８ｃｍディスクでディスクの表面または情報面が存在せず、１２ｃｍでディスクの表面または情報面が存在するどの位置であっても良い。
【００２９】
ステップ４０２では、スリムディスク判別手段１０８でサーボ手段１０６にコマンドを発行し、ヘッド１０３を用いてフォーカスエラー信号によってディスクの表面または情報面の検出を行う。
【００３０】
ステップ４０３では、ステップ４０２でディスクの表面または情報面を検出した場合には、ステップ４０５に進んで１２ｃｍディスクと判定し、ディスクの表面または情報面を検出できなかった場合には、ステップ４０４に進んで８ｃｍディスクと判定する。
以上の手順によって、装着された光ディスクに対して、８ｃｍディスクではディスクを検出できないが、１２ｃｍディスクならばディスクを検出できる半径位置で、ディスクの表面または情報面が検出できるかどうかによって、装着されたディスクが８ｃｍディスクか１２ｃｍディスクかを判別することが出来る。
【００３１】
次に図１のステップ２０４に戻ると、ステップ２０４で、装着されている光ディスク１０１が８ｃｍディスクと判定された場合は、判別処理を終了する。１２ｃｍディスクと判定された場合は、ステップ２０５に進む。
【００３２】
ここで、ステップ２０４で１２ｃｍディスクと判定された場合は、搭載されたディスクはスリムディスクと決定することでステップ２０５、ステップ２０６を省略して回転数の下限を設定するステップ２０７に進むように改変してもよい。この改変例では、搭載されたディスクはスリムディスクでない場合も含み得るが、再生動作において問題はなく、ステップ２０７による回転数の下限の設定により安定した再生動作が実現できる。
【００３３】
また、ステップ２０４で１２ｃｍディスクと判定された場合に、ディスク滑りが発生したと決定することでステップ２０５、ステップ２０６を省略してディスク滑りに関する情報を表示するステップ２０８に進むように改変してもよい。スリムディスクは８ｃｍディスクより重いため、慣性モーメントを考慮すると、特定の回転数になるまでの時間が、８ｃｍディスクより遅く、１２ｃｍディスクより早いことが分かっている。そのため、この改変例でスリムディスクが装着された場合にも、図３のステップ３０３で８ｃｍディスクが特定の回転数になるまでの時間とスリムディスクが特定の回転数になるまでの時間の間に判定閾値を設定することでディスク滑りが発生したことを正しく判定できる。この改変例は、スリムディスクが装着された場合でも面ぶれディスクに対する対応を行うことなく安定した再生動作を行うことが出来るシステム、例えば再生時の回転数が常に２０００ｒｐｍ以上のシステム、などでは特に有効である。
【００３４】
（ステップ２０５での判別処理）
ステップ２０５では、サーボ手段１０６や信号処理手段１０４から得られた情報に基づいて、スリムディスク判別手段１０８によって、装着されているディスクがスリムディスクかどうかを判定する。
【００３５】
本ステップの具体的な内容は、図５を用いて詳細に説明する。図５は、光ディスク装置１００でサーボ手段１０６や信号処理手段１０４から得られた情報に基づいてスリムディスクかどうかの判別処理を行う手順を示すフローチャートである。図５では、ディスクが回転している状態からの処理を説明しているため、ディスクが回転していない場合は、サーボ手段１０６に対してディスクモータ１０２を回転させる指示を行った後、ステップ５０１を実行する。
【００３６】
ステップ５０１では、光ディスク１０１のディスク識別情報をヘッド１０３から得られた信号を信号処理手段１０４で処理することで取得する。ディスク識別情報とは、ディスクのＣｏｎｔｒｏｌ  Ｄａｔａ領域に記録されている情報で、ディスク種別やディスク容量、ディスクサイズ（８ｃｍディスクか１２ｃｍディスクかを示す情報）などの情報を指す。
【００３７】
ステップ５０２では、ステップ５０１で得られた情報から、装着されているディスクがＤＶＤ−ＲＯＭかどうかを判定し、ＤＶＤ−ＲＯＭ以外ならばステップ５０８に進んでスリムディスク以外と判定し、ＤＶＤ−ＲＯＭならばステップ５０３に進み処理を継続する。
【００３８】
ステップ５０３では、ステップ４０１と同様に、スリムディスク判別手段１０８からサーボ手段１０６にコマンドを発行し、移送手段１０９によってヘッド１０３を光ディスク１０１の半径５０ｍｍの位置に移動する。なお、本ステップでヘッド１０３を移動する位置は、半径５０ｍｍの位置に限らず、ディスクの面ぶれを検出できる任意の位置であっても良い。また、ヘッド１０３の移動を行う際に、フォーカス制御をＯＦＦする必要がある場合は、フォーカス制御をＯＦＦした後、ステップ５０３を実行する。
ステップ５０４では、スリムディスク判別手段１０８からサーボ手段１０６に対してコマンドを発行し、光ディスク１０１に対するフォーカス制御を有効にする。
ステップ５０５では、スリムディスク判別手段１０８からサーボ手段１０６にコマンドを発行して、ディスク１周分のフォーカス駆動電流を取得することで、光ディスク１０１の面ぶれ量を測定する。
【００３９】
ステップ５０６では、ステップ５０５で取得したフォーカス駆動電流の変動が例えばディスク最外周で０．３ｍｍ相当以上の場合、変動大として面ぶれ大ディスクと判定し、ステップ５０７でスリムディスクと判定する。面ぶれ大のディスクではないと判定された場合は、ステップ５０８に進んで、スリムディスク以外のディスクと判定する。なお、変動大と判定する閾値は、コイルの抵抗などによって変化することや、システムによって許容できる面ぶれ量が異なることから、前記の値に限らず、設計者が任意に設定しても良い。また、ステップ５０５の測定を、例えば、低速（８００ｒｐｍ）と高速（２０００ｒｐｍ）といった複数の回転数で実施し、それぞれの測定結果の差が大きい場合に、ステップ５０６で面ぶれ大であると判定しても良い。
【００４０】
次に図１のステップ２０６に戻ると、ステップ２０６で、装着されている光ディスク１０１がスリムディスクと判定された場合は、ステップ２０７でシステム制御手段１０７に対して光ディスク１０１の下限回転数を例えば１５００ｒｐｍ以上になるように指示し、ディスク回転の遠心力によって面ぶれの発生を抑える。
【００４１】
ステップ２０６で、スリムディスクではないと判定された場合は、ステップ２０８でディスク滑り（ディスクの空回り）が発生したと判断し、ディスク滑りに関する情報を図示していない表示手段に出力する。ステップ２０８でディスク滑りが発生したと判断することができる理由は、ステップ２０２で搭載された光ディスクが８ｃｍディスクであると判断したにも拘らずステップ２０４で８ｃｍディスクでないと判断し、しかもスリムディスクではないと判定された場合は、状態として排他的に、搭載された光ディスクの動作が異常である状態、つまりディスク滑りしている状態と判断できるからである。そこでステップ２０８では、例えば、「ディスクのターンテーブルクリーナを使用して下さい」などの表示を光ディスク装置１００が接続されているテレビ画面に出力する。ディスクのターンテーブル１１１とは、光ディスク１０１を乗せて回転させるテーブルのことで、ディスク回転中にはクランプ領域の下側に接して、ディスクモータ１０２によって回転しているテーブルである。ターンテーブル１１１の上に埃などが積もると、ディスク滑りが発生しやすくなる。
【００４２】
なお、ディスク滑りに関する情報の出力はディスク滑りが発生した回数を不揮発メモリ１１２に格納しておき、所定の回数以上発生した場合に表示しても良いし、故障時の解析などでエラー情報の出力指示があった際に出力しても良い。
さらに、ディスク滑りが発生した場合は、今後、ディスク滑りを発生させないために、次回以降のディスク停止状態からのディスク回転の加速度を小さくする、次回以降のディスク回転時のクランプ力を強くするという処理を行っても良い。また、スリムディスクと判別された場合に下限回転数を制限するのではなく、フォーカス制御のゲインを上げる、エラー発生時のリトライを面ぶれの影響の少ない内周領域で行う、外周領域でのフォーカスON処理を行う際に対物レンズを上げる速度を遅くする、ディスクの面ぶれの周期に対応したディスクの角度によってサーボ手段１０６による制御を切り替えるなどの、面ぶれが発生しているディスクに対して安定したサーボ制御を行うための他の方法を用いても良い。
【００４３】
以上の手順によって、装着された光ディスクがスリムディスクであるかどうかを判別し、安定したサーボ制御を行うことが出来る。
（図２のステップ２０５の判定ステップ（図５）の改変）
本実施例の図２のステップ２０５の判定（図５）を図７の判定に置き換えても良い。
図７の判定方法は、図６に示すように、スリムディスクはディスクの基材厚が薄いため、自重によって両端が垂れ下がっている状態になる場合に有効である。図６（a）は光ディスクの斜視図、図６(ｂ)、（ｃ）は夫々、図６(a)の点ａ-ｂ線による断面図、図６(a)の点ｃ-ｄ線による断面図であり、図６（ｂ)、（ｃ）から点ｃと点ｄを結ぶ直線を尾根として点ａと点ｂを結ぶ直線方向に垂れ下がっていることがわかる。
【００４４】
図７は、図６で示すディスクが面ぶれディスクかどうかを判別する処理を示したフローチャートである。図７では、ディスクが回転していない状態からの処理を説明しているため、ディスクが回転している場合は、サーボ手段１０６に対してディスクモータ１０２を停止させる指示を行った後、ステップ７０１を実行する。
【００４５】
ステップ７０１は、ステップ４０１、ステップ５０３と同一の処理であり、スリムディスク判別手段１０８からサーボ手段１０６にコマンドを発行し、移送手段１０９によってヘッド１０３を光ディスク１０１の半径５０ｍｍの位置に移動する。
【００４６】
ステップ７０２では、スリムディスク判別手段１０８からサーボ手段１０６にディスクモータ１０２を１／５回転させるコマンドを発行する。なお、ステップ７０２でのディスクモータ１０２の回転量は、ディスクが面ぶれしているかどうかを判定するための任意の値でよい。ディスクの１周を偶数個に分割した値では、例えば図６で示すようにディスク半径に対して対称に面ぶれが発生している場合には、正しい判定を行うことが出来ない場合があるため、奇数個（例えば、２以外の素数個）に分割することが望ましい。
【００４７】
ステップ７０３では、スリムディスク判別手段１０８からサーボ手段１０６にコマンドを発行してヘッド１０３内の図示していない対物レンズを上昇させ、フォーカスエラー信号によってディスクの表面または情報面を検出した際のフォーカス駆動電流値を測定する。
ステップ７０４では、ディスクの１周分以上の測定を行うまで、ステップ７０２、ステップ７０３の処理を繰り返す。ここでは５回処理を繰り返す。
【００４８】
ステップ７０５では、ステップ７０４において1周分のフォーカス駆動電流を取得したと判定した場合、ステップ７０３での測定結果を比較し、ばらつきの大きさを確認する。ばらつきの大きさは、例えば、最大値と最小値の差がディスクの面ぶれ量が０．３ｍｍに相当するフォーカス駆動電流値以上の場合に、ばらつきが大きいと判定する。
【００４９】
ステップ７０６では、ステップ７０５のばらつきの大きさの確認結果によって、ばらつきが大きいと判定された場合は、ステップ７０７に進んでスリムディスクと判定し、ばらつきが大きくないと判定された場合は、ステップ７０８に進んで、スリムディスク以外と判定する。
【００５０】
以上のように、本実施例の方法を用いると、ディスクが軽いことによって回転数と時間による判定を誤り（ステップ２０２で８ｃｍディスクと判定した場合）、ディスクサイズがディスクからの信号による判定結果と異なる（ステップ２０４で８ｃｍディスクでないと判定した場合）ことを利用して、スリムディスク判定ステップ２０５にて装着されたディスクがスリムディスクかどうかを判別することが出来る。
【００５１】
また、本実施例にかかる光ディスク装置および光ディスク判別方法を用いることで、光ディスク装置に装着されている光ディスクがスリムディスクかどうかを判定し、面ぶれの大きいスリムディスクに対しても安定した再生動作を行うことが出来る。
【００５２】
なお、図４のステップ４０１から４０３の処理を行わず、図５のステップ５０１で取得したディスク識別情報の中に含まれるディスクサイズ、８ｃｍディスクの最大容量を用いて、ディスクサイズが１２ｃｍかどうかや、ディスク容量が８ｃｍディスクの最大容量よりも大きいかどうかの判定方法で、図２のステップ２０３の判定を置き換えても良い。
【００５３】
なお、本実施例はスリムディスクだけではなく、通常の光ディスクよりも基材厚が薄いディスクや軽いディスクに対しても適用できる。例えば、ＢＤでは、情報層がディスク表面から０．１ｍｍ位置にあるため、カバー層を薄くすることで約０．１ｍｍの基材厚を持ったディスクを作ることも可能であり、本実施例は、この基材厚が約０．１ｍｍのディスクに対しても適用できる。
【産業上の利用可能性】
【００５４】
以上のように、本発明にかかる光ディスク装置および光ディスク判別方法を用いることで、光ディスク装置に装着されている光ディスクがスリムディスクかどうかを判定し、面ぶれの大きいスリムディスクに対しても安定した再生動作を行うことが出来るので、レコーダ、プレーヤやＰＣ等の用途にも適用できる。
【符号の説明】
【００５５】
１０１    光ディスク
１０２    ディスクモータ
１０３    ヘッド
１０４    信号処理手段
１０５    レーザ制御手段
１０６    サーボ手段
１０７    システム制御手段
１０８    スリムディスク判別手段
１０９    移送手段
【図１】
2011192330.tif 000003
【図２】
2011192330.tif 000004
【図３】
2011192330.tif 000005
【図４】
2011192330.tif 000006
【図５】
2011192330.tif 000007
【図６】
2011192330.tif 000008
【図７】
2011192330.tif 000009
【図８】
2011192330.tif 000010